(57)【要約】【課題】この発明は、印刷物の集合体を、カラー印刷物と白黒印刷物とに仕分けする作業が容易となるとともに、仕分けミスが発生しにくくなる画像形成装置を提供することを目的とする。【解決手段】カラー印刷モードが選択された際に、カラー印刷物であることを示すカラー／白黒識別マークをカラー印刷物に印刷する識別マーク付与モードか、カラー／白黒識別マークをカラー印刷物に印刷しない識別マーク非付与モードかを選択させるための手段と、識別マーク付与モードが選択された場合には、カラー印刷用画像データにカラー／白黒識別マーク用画像データを付加した後、カラー／白黒識別マーク用画像データが付加されたカラー印刷用画像データを記録紙にカラー印刷させる手段とを備えている。【選択図】　図１
2004066659.tif 000002
【特許請求の範囲】
【請求項１】
カラー印刷を行なうためのカラー印刷モードと、白黒印刷を行なうための白黒印刷モードとを有している画像形成装置において、
カラー印刷モードが選択された際に、カラー印刷物であることを示すカラー／白黒識別マークをカラー印刷物に印刷する識別マーク付与モードか、カラー／白黒識別マークをカラー印刷物に印刷しない識別マーク非付与モードかを選択させるための手段、
識別マーク付与モードが選択された場合には、カラー印刷用画像データにカラー／白黒識別マーク用画像データを付加した後、カラー／白黒識別マーク用画像データが付加されたカラー印刷用画像データを記録紙にカラー印刷させる手段、ならびに
識別マーク非付与モードが選択された場合には、カラー印刷用画像データにカラー／白黒識別マーク用画像データを付加することなく、カラー印刷用画像データを記録紙にカラー印刷させる手段、
を備えていることを特徴とする画像形成装置。
【請求項２】
カラー／白黒識別マークは、有彩色を持つマークであることを特徴とする請求項１に記載の画像形成装置。
【発明の詳細な説明】
【０００１】
【産業上の利用分野】
この発明は、カラーデジタル複写機等の画像形成装置に関する。
【０００２】
【従来の技術】
印刷物を廃棄する場合、印刷物をリサイクルして利用するために、担当者が手作業で印刷物をカラー印刷物と白黒印刷物とに仕分けして、リサイクル業者に提供するといったことが一般的に行なわれている。カラー印刷物と白黒印刷物とが混在している印刷物の集合体を、カラー印刷物と白黒印刷物とに仕分けする際には、仕分け作業者が各印刷物の両面全体を見て、カラー印刷物であるか白黒印刷物であるかを判別している。しかしながら、カラー印刷物であっても黒っぽく見えるようなカラー印刷が施されているものを、白黒印刷物と誤判別してしまうことがある。
【０００３】
【発明が解決しようとする課題】
この発明は、印刷物の集合体を、カラー印刷物と白黒印刷物とに仕分けする作業が容易となるとともに、仕分けミスが発生しにくくなる画像形成装置を提供することを目的とする。
【０００４】
【課題を解決するための手段】
この発明による画像形成装置は、カラー印刷を行なうためのカラー印刷モードと、白黒印刷を行なうための白黒印刷モードとを有している画像形成装置において、カラー印刷モードが選択された際に、カラー印刷物であることを示すカラー／白黒識別マークをカラー印刷物に印刷する識別マーク付与モードか、カラー／白黒識別マークをカラー印刷物に印刷しない識別マーク非付与モードかを選択させるための手段、識別マーク付与モードが選択された場合には、カラー印刷用画像データにカラー／白黒識別マーク用画像データを付加した後、カラー／白黒識別マーク用画像データが付加されたカラー印刷用画像データを記録紙にカラー印刷させる手段、ならびに識別マーク非付与モードが選択された場合には、カラー印刷用画像データにカラー／白黒識別マーク用画像データを付加することなく、カラー印刷用画像データを記録紙にカラー印刷させる手段を備えていることを特徴とする。カラー／白黒識別マークは、有彩色を持つマークであることが好ましい。
【０００５】
【発明の実施の形態】
以下、図面を参照して、この発明の実施の形態について説明する。
【０００６】
図１は、デジタルカラー複写機の構成を示している。
【０００７】
デジタルカラー複写機は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【０００８】
画像形成部４０は、レーザスキャンユニット（ＬＳＵ）４１と、感光体ドラム等を含む静電複写機構とを備えている。ユーザ操作部５０は、テンキーおよび各種キーを含むキー入力部５１と、液晶表示部５２と、ＬＥＤ表示部５３とを備えている。
【０００９】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１０】
このデジタルカラー複写機は、複写モードとして、カラー印刷を行なうためのカラー印刷モードと、白黒印刷を行なうための白黒印刷モードとを有している。また、カラー印刷モードが選択された場合には、さらに、カラー印刷物であることを示すカラー／白黒識別マークをカラー印刷物に印刷する識別マーク付与モードか、カラー／白黒識別マークをカラー印刷物に印刷しない識別マーク非付与モードかをユーザに選択させるようになっている。このようなモード設定は、ユーザ操作部５０を利用して行なわれる。
【００１１】
カラー／白黒識別マークを構成する画像データは、予め制御部２０内のＲＯＭに格納されている。カラー／白黒識別マークを構成する画像データは、たとえば、図２に示すように、記録紙の右下端のコーナ部に赤色からなる三角形（カラー／白黒識別マーク）１００を印刷するためのデータである。
【００１２】
図３は、デジタルカラー複写機の動作を示している。
【００１３】
まず、カラー印刷モードであるか否かを判別する（ステップ１）。カラー印刷モードでない場合、すなわち、白黒印刷モードである場合には、白黒印刷処理を行なう（ステップ２）。つまり、スキャナ部１０で読み取られてＨＤＤ３０に格納されている白黒印刷用画像データが制御部２０を介してＬＳＵ４１に送られることにより、カラー印刷処理が行なわれる。
【００１４】
カラー印刷モードである場合には、識別マーク付与モードが選択されているか否かを判別する（ステップ３）。識別マーク付与モードが選択されている場合には、カラー印刷用画像データにカラー／白黒識別マークが付加された後に（ステップ４）、カラー印刷処理が行なわれる（ステップ５）。つまり、スキャナ部１０で読み取られてＨＤＤ３０に格納されているカラー印刷用画像データが制御部２０に読み出された後、ＲＯＭに格納されているカラー／白黒識別マークを構成する画像データがカラー印刷用画像データに付加される。そして、カラー／白黒識別マークを構成する画像データが付加されたカラー印刷用画像データがＬＳＵ４１に送られることにより、カラー印刷処理が行なわれる。
【００１５】
識別マーク付与モードが選択されていない場合には、つまり、識別マーク非付与モードが選択されている場合には、カラー印刷用画像データにカラー／白黒識別マークを構成する画像データが付加されることなく、カラー印刷処理が行なわれる（ステップ５）。つまり、スキャナ部１０で読み取られてＨＤＤ３０に格納されているカラー印刷用画像データが制御部２０を介してＬＳＵ４１に送られることにより、カラー印刷処理が行なわれる。
【００１６】
以上のように、カラー印刷モードでかつ識別マーク付加モードが選択された場合には、得られたカラー印刷物にカラー／白黒識別マークが印刷されるので、白黒印刷物とカラー印刷物とが混在した印刷物の集合体を、白黒印刷物とカラー印刷物とに仕分けする際に、その仕分け作業が容易となるとともに仕分けミスが発生しにくくなる。
【００１７】
なお、カラー／白黒識別マークとしては、有彩色を持つマークであれば、その形状等はどのような形状でもよい。たとえば、カラー／白黒識別マークとして、有彩色を有する文字、符号を用いてもよい。
【００１８】
【発明の効果】
この発明によれば、印刷物の集合体を、カラー印刷物と白黒印刷物とに仕分けする作業が容易となるとともに、仕分けミスが発生しにくくなる。
【図面の簡単な説明】
【図１】デジタルカラー複写機の構成を示すブロック図である。
【図２】カラー／白黒識別マークの一例を示す模式図である。
【図３】デジタルカラー複写機の動作を示すフローチャートである。
【符号の説明】
１０　スキャナ部
２０　制御部
３０　ハードディスク
４０　画像形成部
５０　ユーザ操作部
【図１】
2004066659.tif 000003
【図２】
2004066659.tif 000004
【図３】
2004066659.tif 000005